(57)【要約】【課題】情報媒体が装着された状態であることを確実かつ容易に認識させると共に装着されている情報媒体を容易に取り外し可能とする。【解決手段】光ディスク（情報媒体）の装着の有無を検出可能に構成されると共に光ディスクに対する再生処理を実行して画像データを出力する媒体再生部と、電源部と、電源部を制御すると共に画像データに基づく画像を表示部に表示させる制御部とを備え、制御部は、電源遮断が指示されたときに、光ディスクの非装着状態が検出されているときには（ステップ４１，４２）、電源の供給を停止させ（ステップ４３，４４）、光ディスクの装着状態が検出されているときには（ステップ４１，４２）、装着されていることを報知する第１のメッセージを表示部に表示させると共に（ステップ４５）その後に光ディスクの非装着状態が検出されたときに（ステップ４７，４８）電源の供給を停止させる（ステップ４３，４４）。【選択図】図５
2009099171.tif 000002
【特許請求の範囲】
【請求項１】
情報媒体の装着の有無を検出可能に構成されると共に装着された当該情報媒体に対する再生処理を実行して画像データを出力する媒体再生部と、電源部と、当該電源部を制御すると共に前記出力された画像データに基づく画像を表示部に表示させる制御部とを備えた画像表示装置であって、
前記制御部は、電源遮断が指示されたときに、前記媒体再生部によって前記情報媒体の非装着状態が検出されているときには、前記電源部を制御して電源の供給を停止させ、当該媒体再生部によって当該情報媒体の装着状態が検出されているときには、当該情報媒体が装着されていることを報知する第１のメッセージを前記表示部に表示させると共にその後に当該媒体再生部によって当該情報媒体の非装着状態が検出されたときに前記電源部を制御して前記電源の供給を停止させる画像表示装置。
【請求項２】
前記制御部は、前記第１のメッセージを前記表示部に表示させた後に、前記媒体再生部によって前記情報媒体の装着状態が継続して検出されている状態において前記電源遮断が再び指示されたときに、前記電源部を制御して前記電源の供給を停止させる請求項１記載の画像表示装置。
【請求項３】
前記制御部は、電源投入が指示されたときに前記電源部を制御して前記電源の供給を開始させると共に前記媒体再生部によって前記情報媒体の装着状態が検出されているときには、当該情報媒体が装着されていることを報知する第２のメッセージを前記表示部に表示させる請求項１または２記載の画像表示装置。
【請求項４】
前記制御部は、入力ソースの切換えが指示されたときに前記媒体再生部によって前記情報媒体の装着状態が検出されているときには、当該情報媒体が装着されていることを報知する第３のメッセージを前記表示部に表示させる請求項１から３のいずれかに記載の画像表示装置。
【請求項５】
請求項１から４のいずれかに記載の画像表示装置と、前記表示部としての投写機構とを備えて構成されているプロジェクタ。
【請求項６】
装着された情報媒体に対する再生処理を実行して画像データを出力する媒体再生部を備えて当該画像データに基づく画像を表示部に表示可能に構成された画像表示装置の電源部を制御する電源制御方法であって、
電源遮断が指示されたときに前記媒体再生部によって前記情報媒体の非装着状態が検出されているときには、前記電源部を制御して電源の供給を停止させ、当該媒体再生部によって当該情報媒体の装着状態が検出されているときには、前記情報媒体が装着されていることを報知する第１のメッセージを前記表示部に表示させると共にその後に当該媒体再生部によって当該情報媒体の非装着状態が検出されたときに前記電源部を制御して前記電源の供給を停止させる電源制御方法。
【発明の詳細な説明】
【技術分野】
【０００１】
本発明は、情報媒体に対する再生処理を実行する媒体再生部を備えた画像表示装置およびプロジェクタ、並びに画像表示装置の電源部を制御する電源制御方法に関するものである。
【背景技術】
【０００２】
今日、光ディスク（情報媒体）を再生可能に構成された光ディスクプレーヤ（画像表示装置）が広く普及している。この種の画像表示装置では、光ディスクの再生中や再生完了後に電源スイッチを操作したときに、ディスクドライブ装置内に光ディスクが挿入されたまま電源が遮断される。この場合、電源が遮断された状態においては、ディスクドライブ装置内に光ディスクが挿入されているか否かを特定するのが困難となっている。したがって、例えばレンタル業者からレンタルした光ディスクの再生を完了した後に、ディスクドライブ装置から光ディスクを取り出すのを忘れて電源を遮断し、収容ケースだけをレンタル業者に返却してしまうおそれがある。この際には、返却期限経過後にディスクドライブ装置から光ディスクを取り出して返却することとなるが、延滞料金を請求されることになる。
【０００３】
上記の問題点を解決すべく、特開昭６３−２１７５６８号公報には、光ディスク媒体（以下、「光ディスク」ともいう）を取り出すことなく電源を遮断したときにアラーム音が出力される構成の光ディスク媒体保護アラーム機構（以下、「アラーム機構」ともいう）が開示されている。具体的には、このアラーム機構では、光ディスク装置に光ディスクを挿入したときに、ロードセンサーが光ディスクの挿入（ロード）を検出して判断制御コントローラに信号を出力する。一方、電源遮断時には、電源オフ状態検出回路が電源の遮断（電源オフ）を検出して判断制御コントローラに信号を出力する。この際に、判断制御コントローラは、ロードセンサーからの信号に基づいて光ディスクが挿入された状態であると判別すると共に、電源オフ状態検出回路からの信号に基づいて電源が遮断されたと判別し、アラーム回路に信号を出力する。これに応じて、応じてアラーム回路がアラーム音を出力する。これにより、光ディスクを挿入したままの状態であることを利用者に認識させることが可能となっている。
【特許文献１】特開昭６３−２１７５６８号公報（第２頁、第１図）
【発明の開示】
【発明が解決しようとする課題】
【０００４】
ところが、従来のアラーム機構には、以下の問題点がある。すなわち、従来のアラーム機構では、光ディスクを挿入したまま電源を遮断したときにアラーム音が出力される構成を採用している。しかしながら、従来のアラーム機構では、アラーム音の出力によって利用者が光ディスクを挿入したままの状態であるのに気付いたときに、光ディスク装置から光ディスクを取り出すためには、電源スイッチを操作して電源を投入し、光ディスク装置の起動が完了した後に、ディスク排出スイッチ等を操作する必要がある。このため、従来のアラーム機構には、光ディスクを挿入したまま電源を遮断したときに、光ディスクを取り出すための操作が煩雑であると共に、光ディスクを取り出すのに要する時間が非常に長いという問題点がある。また、前述したように、この種の光ディスク装置（記録再生装置）では、電源が遮断された状態において光ディスク装置内に光ディスクが挿入されているか否かを特定するのが困難なため、従来のアラーム機構では、アラーム音を聞き逃してしまったときに、光ディスクが挿入されたままの状態であることを利用者に認識させるのが困難であるという問題点も存在する。
【０００５】
本発明は、かかる問題点に鑑みてなされたものであり、情報媒体が装着された状態であることを確実かつ容易に認識させると共に装着されている情報媒体を容易に取り外し可能な画像表示装置、プロジェクタおよび電源制御方法を提供することを主目的とする。
【課題を解決するための手段】
【０００６】
上記目的を達成すべく、本発明に係る画像表示装置は、情報媒体の装着の有無を検出可能に構成されると共に装着された当該情報媒体に対する再生処理を実行して画像データを出力する媒体再生部と、電源部と、当該電源部を制御すると共に前記出力された画像データに基づく画像を表示部に表示させる制御部とを備えた画像表示装置であって、前記制御部は、電源遮断が指示されたときに、前記媒体再生部によって前記情報媒体の非装着状態が検出されているときには、前記電源部を制御して電源の供給を停止させ、当該媒体再生部によって当該情報媒体の装着状態が検出されているときには、当該情報媒体が装着されていることを報知する第１のメッセージを前記表示部に表示させると共にその後に当該媒体再生部によって当該情報媒体の非装着状態が検出されたときに前記電源部を制御して前記電源の供給を停止させる。
【０００７】
また、本発明に係る電源制御方法は、装着された情報媒体に対する再生処理を実行して画像データを出力する媒体再生部を備えて当該画像データに基づく画像を表示部に表示可能に構成された画像表示装置の電源部を制御する電源制御方法であって、電源遮断が指示されたときに前記媒体再生部によって前記情報媒体の非装着状態が検出されているときには、前記電源部を制御して電源の供給を停止させ、当該媒体再生部によって当該情報媒体の装着状態が検出されているときには、前記情報媒体が装着されていることを報知する第１のメッセージを前記表示部に表示させると共にその後に当該媒体再生部によって当該情報媒体の非装着状態が検出されたときに前記電源部を制御して前記電源の供給を停止させる。
【０００８】
この画像表示装置および電源制御方法では、電源遮断が指示されたときに、情報媒体の非装着状態が検出されているときには、電源部を制御して電源の供給を停止させ、情報媒体の装着状態が検出されているときには、情報媒体が装着されていることを報知する第１のメッセージを表示部に表示させると共にその後に非装着状態が検出されたときに電源部を制御して電源の供給を停止させる。したがって、この画像表示装置および電源制御方法によれば、情報媒体が装着されたままの状態であることを第１のメッセージの表示によって利用者に認識させるだけでなく、電源スイッチを操作したにも拘わらず電源が遮断されないとの画像表示装置の動作によって、利用者に対して情報媒体が装着されたままの状態であることを確実に認識させることができる。また、この画像表示装置およびその電源制御方法によれば、利用者が情報媒体を取り出す必要があると判断した際に、電源が遮断されていないため、情報媒体を取り出すために装置の電源を投入し直す必要がある従来のアラーム機構とは異なり、情報媒体を迅速かつ容易に取り出すことができる。
【０００９】
また、本発明に係る画像表示装置は、前記制御部が、前記第１のメッセージを前記表示部に表示させた後に、前記媒体再生部によって前記情報媒体の装着状態が継続して検出されている状態において前記電源遮断が再び指示されたときに、前記電源部を制御して前記電源の供給を停止させる。
【００１０】
この画像表示装置によれば、制御部が、第１のメッセージを表示部に表示させた後に、情報媒体の装着状態が継続して検出されている状態において電源遮断が再び指示されたときに、電源部を制御して電源の供給を停止させることにより、利用者が情報媒体を取り出す必要がないと判断した際には、電源スイッチの再操作によって電源を直ちに遮断することができる。このため、この画像表示装置によれば、情報媒体を取り出す必要がないときであっても電源が投入されている状態を維持する構成と比較して、電力が無用に消費される事態を回避することができる。
【００１１】
さらに、本発明に係る画像表示装置は、前記制御部が、電源投入が指示されたときに前記電源部を制御して前記電源の供給を開始させると共に前記媒体再生部によって前記情報媒体の装着状態が検出されているときには、当該情報媒体が装着されていることを報知する第２のメッセージを前記表示部に表示させる。
【００１２】
この画像表示装置によれば、制御部が、電源投入が指示されたときに電源部を制御して電源の供給を開始させると共に媒体再生部によって情報媒体の装着状態が検出されているときには、情報媒体が装着されていることを報知する第２のメッセージを表示部に表示させることにより、例えば、電源遮断時に情報媒体を取り出すのを忘れてしまったとしても、その後の電源投入時に第２のメッセージが表示されることで、利用者に対して情報媒体が装着されたままの状態であることを確実に認識させることができる。
【００１３】
また、本発明に係る画像表示装置は、前記制御部が、入力ソースの切換えが指示されたときに前記媒体再生部によって前記情報媒体の装着状態が検出されているときには、当該情報媒体が装着されていることを報知する第３のメッセージを前記表示部に表示させる。
【００１４】
この画像表示装置によれば、制御部が、入力ソースの切換えが指示されたときに媒体再生部によって情報媒体の装着状態が検出されているときには、情報媒体が装着されていることを報知する第３のメッセージを前記表示部に表示させることにより、情報媒体が装着されたままの状態であることを第３のメッセージの表示によって利用者に認識させるだけではなく、入力ソース切換えスイッチを操作したにも拘わらず入力ソースが切り換わらないとの画像表示装置の動作によって、利用者に対して情報媒体が装着されたままの状態であることを確実に認識させることができる。
【００１５】
また、本発明に係るプロジェクタは、上記のいずれかの画像表示装置と、前記表示部としての投写機構とを備えて構成されている。
【００１６】
このプロジェクタによれば、上記のいずれかの画像表示装置と、表示部としての投写機構とを備えて構成したことにより、情報媒体を取り出すために電源を再投入する必要がないため、光源ランプ等の点灯回数を十分に減らすことができる。このため、このプロジェクタによれば、光源ランプ等の寿命を延ばすことができる。
【発明を実施するための最良の形態】
【００１７】
以下、本発明に係る画像表示装置、プロジェクタおよび電源制御方法の最良の形態について、添付図面を参照して説明する。図１に示すプロジェクタ１は、本発明に係る画像表示装置の一例であるフロント投写型のプロジェクタであって、光ディスク再生部２、外部信号入力部３、映像処理部４、映像投写部５、音声処理部６、音声出力部７、信号処理部８、操作部９、電源部１０および制御部１１を備えて構成されている。光ディスク再生部２は、本発明における媒体再生部に相当し、本発明における情報媒体の一例である光ディスク（一例として、ＤＶＤやＢＤ（登録商標））を装着可能なディスクドライブ装置（図示せず）を備えて、光ディスクに対する再生処理を実行可能に構成されている。具体的には、光ディスク再生部２は、光ディスクから読み出した映像音声データに基づき、映像信号Ｓｖ１（本発明における画像データの一例）を生成して映像処理部４に出力すると共に、音声信号Ｓａ１を生成して音声処理部６に出力する。
【００１８】
外部信号入力部３は、各種視聴覚機器（光ディスクプレーヤ、デジタルチューナおよびパーソナルコンピュータなど）から出力された映像音声信号Ｓａｖに基づいて映像信号Ｓｖ１および音声信号Ｓａ１を生成すると共に、生成した映像信号Ｓｖ１を映像処理部４に出力すると共に、生成した音声信号Ｓａ１を音声処理部６に出力する。この外部信号入力部３は、いわゆる入力ソース切換部であって、後述するように、入力ソースの切換えを指示するスイッチ操作が行われたときに、制御部１１の制御に従って複数の視聴覚機器のうちのいずれかを映像処理部４および音声処理部６に接続することにより、その視聴覚機器から出力された映像音声信号Ｓａｖに基づいて上記のように生成した映像信号Ｓｖ１および音声信号Ｓａ１を映像処理部４および音声処理部６にそれぞれ出力する。
【００１９】
映像処理部４は、制御部１１と相俟って本発明における制御部を構成し、光ディスク再生部２および外部信号入力部３のいずれかから出力された映像信号Ｓｖ１に基づいて映像信号Ｓｖ２を生成すると共に、生成した映像信号Ｓｖ２を映像投写部５に出力して映像音声信号Ｓａｖの映像（画像）を表示させる。映像投写部５は、本発明における投写機構に相当し、光源ランプ、ランプ駆動部、液晶ライトバルブ（光変調素子の一例）、ライトバルブ駆動部（変調素子駆動部の一例）および投写レンズ等（いずれも図示せず）を備え、映像処理部４から出力された映像信号Ｓｖ２に基づいて光源ランプからの光を液晶ライトバルブによって光変調して投写レンズを介してスクリーン１２（図３，６，７参照）に映像を投写する（映像信号Ｓｖ２に基づく映像をスクリーン１２に表示させる）。この場合、映像投写部５に配設された光源ランプは、一例として、メタルハライドランプや高圧水銀ランプで構成されて、上記のランプ駆動部の制御に従って点灯することで白色光を射出する。
【００２０】
音声処理部６は、光ディスク再生部２および外部信号入力部３のいずれかから出力された音声信号Ｓａ１に基づいて音声信号Ｓａ２を生成すると共に、生成した音声信号Ｓａ２を音声出力部７に出力して映像音声信号Ｓａｖの音声を出力させる。音声出力部７は、アンプやスピーカを備え（図示せず）、音声処理部６から出力された音声信号Ｓａ２に基づく音声をスピーカから出力する。信号処理部８は、プロジェクタ１の本体部に配設された操作部９から操作信号Ｓ０が出力されたとき、または、リモートコントローラ（図示せず）から操作信号Ｓ０（一例として、赤外線信号）が出力されたときに、その操作信号Ｓ０に対応する操作信号Ｓ１を生成して制御部１１に出力する。この場合、上記の操作部９およびリモートコントローラには、電源スイッチや入力ソース切換えスイッチなどの各種の操作スイッチが配設されている。電源部１０は、制御部１１の制御に従ってプロジェクタ１の各部に電源を供給する。
【００２１】
制御部１１は、プロジェクタ１を総括的に制御する。具体的には、制御部１１は、信号処理部８から出力された操作信号Ｓ１に応じて、光ディスク再生部２、外部信号入力部３、映像処理部４、映像投写部５、音声処理部６および音声出力部７の動作を制御する。また、制御部１１は、後述するように、電源投入処理２０（図２参照）および電源遮断処理４０（図５参照）を実行して本発明に係る電源制御方法に従って電源部１０の動作を制御する。さらに、制御部１１は、後述するように、入力ソース切換え処理３０（図４参照）を実行して、外部信号入力部３の動作を制御する。
【００２２】
このプロジェクタ１では、電源が遮断されている状態において、例えば上記の操作部９における電源スイッチが操作されて操作信号Ｓ０が出力されたときに、信号処理部８が操作信号Ｓ１を生成して制御部１１に出力する（「電源投入が指示されたとき」の一例）。これに応じて、制御部１１は、図２に示す電源投入処理２０を開始する。この電源投入処理２０では、制御部１１は、まず、電源部１０に制御信号Ｓ５を出力して（電源部１０を制御して）プロジェクタ１の各部に対する電源の供給を開始させる（ステップ２１）。この際には、電源の供給に伴い、映像投写部５において光源ランプが点灯させられる。次いで、制御部１１は、光ディスク再生部２に制御信号Ｓ２ａを出力して、上記のディスクドライブ装置に光ディスクが装着されているか否かを検出させる（ステップ２２）。
【００２３】
この際に、光ディスクが装着されていないときには、光ディスク再生部２は、非装着状態を示す検出信号Ｓ２ｂを制御部１１に出力する。これに応じて、制御部１１は、光ディスク再生部２に光ディスクが装着されていないと判別して（ステップ２３）、この電源投入処理２０を終了する。一方、ディスクドライブ装置に光ディスクが装着されているときには、光ディスク再生部２は、装着状態を示す検出信号Ｓ２ｂを制御部１１に出力する。これに応じて、制御部１１は、光ディスク再生部２に光ディスクが装着されていると判別して（ステップ２３）、映像処理部４に制御信号Ｓ３を出力して予め規定されたメッセージを表示させる（ステップ２４）。この結果、映像処理部４が、制御部１１からの制御信号Ｓ３に従い、メッセージを表示させるための映像信号Ｓｖ２を生成して映像投写部５に出力する。
【００２４】
これに応じて、映像投写部５が光源ランプからの光を変調して出力することにより、図３に示すように、「光ディスクが入ったままです。」とのメッセージＭ１（本発明における「第２のメッセージ」の一例）をスクリーン１２に投写する。このメッセージＭ１の投写によって、利用者は、ディスクドライブ装置に光ディスクが入ったままの状態であることを認識する。また、制御部１１は、予め規定した所定時間（一例として、５秒）が経過した時点において（ステップ２５）、この電源投入処理２０を終了する。この後、光ディスク再生部２（ディスクドライブ装置）に光ディスクを装着した状態において操作部９の再生スイッチを操作することにより、光ディスク再生部２によって音声信号Ｓａ１および映像信号Ｓｖ１が出力されて、映像投写部５が映像処理部４から出力された映像信号Ｓｖ２の映像（画像）をスクリーン１２に投写すると共に、音声出力部７が音声処理部６から出力された音声信号Ｓａ２の音声を出力する。
【００２５】
一方、このプロジェクタ１では、例えば光ディスク再生部２による光ディスクの再生時において、外部装置としての視聴覚機器（一例として、デジタルチューナ）から出力された映像音声信号Ｓａｖに基づく映像（画像）を表示させるために、入力ソースの切換え操作を行ったときに、制御部１１が、図４に示す入力ソース切換え処理３０を実行する。具体的には、操作部９における入力ソース切換えスイッチが操作されて、そのスイッチ操作に対応する操作信号Ｓ１が信号処理部８から出力されたときに（「入力ソースの切換えが指示されたとき」の一例）、制御部１１は、この入力ソース切換え処理３０を開始する。この入力ソース切換え処理３０では、制御部１１は、まず、光ディスク再生部２に制御信号Ｓ２ａを出力して、上記のディスクドライブ装置に光ディスクが装着されているか否かを検出させる（ステップ３１）。
【００２６】
この際に、光ディスクが装着されていないときには、光ディスク再生部２は、非装着状体を示す検出信号Ｓ２ｂを制御部１１に出力する。これに応じて、制御部１１は、光ディスク再生部２に光ディスクが装着されていないと判別し（ステップ３２）、外部信号入力部３に制御信号Ｓ６を出力して入力ソースを例えばデジタルチューナに切換えさせて（ステップ３３）、この入力ソース切換え処理３０を終了する。この際には、デジタルチューナから出力された映像音声信号Ｓａｖに基づき、外部信号入力部３が、映像信号Ｓｖ１および音声信号Ｓａ１を生成して映像処理部４および音声処理部６にそれぞれ出力する。これに応じて、映像処理部４が映像信号Ｓｖ２を生成して映像投写部５に出力すると共に、音声処理部６が音声信号Ｓａ２を生成して音声出力部７に出力することにより、映像音声信号Ｓａｖの映像（画像）がスクリーン１２に表示されると共に（図示せず）、映像音声信号Ｓａｖの音声が音声出力部７のスピーカから出力される。
【００２７】
一方、ディスクドライブ装置に光ディスクが装着されているときには、光ディスク再生部２は、装着状態を示す検出信号Ｓ２ｂを制御部１１に出力する。これに応じて、制御部１１は、光ディスク再生部２に光ディスクが装着されていると判別して（ステップ３２）、映像処理部４に制御信号Ｓ３を出力して予め規定されたメッセージを表示させる（ステップ３４）。具体的には、制御部１１からの制御信号Ｓ３に従い、映像処理部４がメッセージを表示させるための映像信号Ｓｖ２を生成して映像投写部５に出力する。これに応じて、映像投写部５が光源ランプからの光を変調して出力することにより、図６に示すように、「光ディスクが入ったままです。入力ソースを切換えますか？［入力切換］の操作で切換えます」とのメッセージＭ２（本発明における「第３のメッセージ」の一例）をスクリーン１２に投写する。このメッセージＭ２の投写によって、利用者は、ディスクドライブ装置に光ディスクが入ったままの状態であることを認識する。
【００２８】
次いで、制御部１１は、入力ソース切換えスイッチが再び操作されたか否かの監視処理（ステップ３５）、光ディスクがディスクドライブ装置から取り出されたか否かの監視処理（ステップ３６，３７）、および予め規定した所定時間が経過したか否かの監視処理（ステップ３８）を繰り返して実行する。
【００２９】
この際に、例えば、光ディスク再生部２に光ディスクが装着されていることを承知で入力ソースを切り換えるときには、利用者は、メッセージＭ２に従い、操作部９の入力ソース切換えスイッチ（［入力切換］のスイッチ）を再び操作する。これに応じて、制御部１１は、信号処理部８から出力された操作信号Ｓ１に基づいて、入力ソース切換えスイッチが再び操作されたと判別し（ステップ３５）、外部信号入力部３に制御信号Ｓ６を出力して入力ソースを例えばデジタルチューナに切換えさせて（ステップ３３）、この入力ソース切換え処理３０を終了する。これにより、入力ソースの切換えが完了して、デジタルチューナからの映像音声信号Ｓａｖに基づく映像（画像）がスクリーン１２に表示されると共に、映像音声信号Ｓａｖの音声がスピーカから出力される。
【００３０】
一方、例えば、再生を完了した光ディスクをレンタル業者に返却するときには、操作部９のイジェクトスイッチ（図示せず）を操作して光ディスクを光ディスク再生部２から取り出す。この際には、操作部９からの操作信号Ｓ０に応じて信号処理部８がイジェクトスイッチの操作に対応する操作信号Ｓ１を生成して制御部１１に出力する。これに応じて、制御部１１は、光ディスク再生部２に制御信号Ｓ２ａを出力して光ディスクを排出させると共に、光ディスクがディスクドライブ装置から取り出されたか否かを検出させる（ステップ３６）。この際に、光ディスク再生部２からの検出信号Ｓ２ｂに基づいて光ディスクが取り出されたと判別したときには（ステップ３７）、制御部１１は、外部信号入力部３に制御信号Ｓ６を出力して入力ソースを例えばデジタルチューナに切換えさせて（ステップ３３）、この入力ソース切換え処理３０を終了する。
【００３１】
また、このプロジェクタ１では、メッセージＭ２が表示された後に、入力ソース切換えスイッチの操作、および光ディスクの取り出しのいずれも行われることなく予め規定した所定時間（一例として、３０秒分）が経過したときに、入力ソースの切換えが行われる。具体的には、メッセージＭ２の表示後に所定時間が経過したときには（ステップ３８）、制御部１１は、外部信号入力部３に制御信号Ｓ６を出力して入力ソースを例えばデジタルチューナに切換えさせて（ステップ３３）、この入力ソース切換え処理３０を終了する。これにより、入力ソースの切換えが完了して、デジタルチューナからの映像音声信号Ｓａｖに基づく映像（画像）がスクリーン１２に表示されると共に、映像音声信号Ｓａｖの音声がスピーカから出力される。
【００３２】
また、光ディスク再生部２による光ディスクの再生中、または、デジタルチューナ（外部装置）からの映像音声信号Ｓａｖに基づく映像（画像）の表示中において、プロジェクタ１の電源を遮断する際には、制御部１１が、図５に示す電源遮断処理４０を実行する。具体的には、操作部９の電源スイッチが操作されて、そのスイッチ操作に対応する操作信号Ｓ１が信号処理部８から出力されたときに（「電源遮断が指示されたとき」の一例）、制御部１１が、電源遮断処理４０を開始する。この電源遮断処理４０では、制御部１１は、まず、光ディスク再生部２に制御信号Ｓ２ａを出力して、上記のディスクドライブ装置に光ディスクが装着されているか否かを検出させる（ステップ４１）。
【００３３】
この際に、光ディスクが装着されていないときには、光ディスク再生部２は、非装着状態を示す検出信号Ｓ２ｂを制御部１１に出力する。これに応じて、制御部１１は、光ディスク再生部２に光ディスクが装着されていないと判別して（ステップ４２）、映像投写部５に制御信号Ｓ４を出力してクールダウン処理を開始させる（ステップ４３）。これに応じて、映像投写部５が、光源ランプを消灯させる。次いで、制御部１１は、クールダウン処理が開始されてから所定時間が経過した時点（クールダウン処理が完了する時点）において、電源部１０に制御信号Ｓ５を出力して（電源部１０を制御して）プロジェクタ１の各部に対する電源の供給を停止させる（ステップ４４）。これにより、プロジェクタ１の電源遮断処理が完了する。
【００３４】
一方、ディスクドライブ装置に光ディスクが装着されているときには、光ディスク再生部２は、装着状態を示す検出信号Ｓ２ｂを制御部１１に出力する。これに応じて、制御部１１は、光ディスク再生部２に光ディスクが装着されていると判別して（ステップ４２）、映像処理部４に制御信号Ｓ３を出力して予め規定されたメッセージを表示させる（ステップ４５）。具体的には、映像処理部４が、制御部１１からの制御信号Ｓ３に従い、メッセージを表示させるための映像信号Ｓｖ２を生成して映像投写部５に出力する。これに応じて、映像投写部５が光源ランプからの光を変調して出力することにより、図７に示すように、「光ディスクが入ったままです。電源オフしますか？［電源］の操作で電源オフします」とのメッセージＭ３（本発明における「第１のメッセージ」の一例）をスクリーン１２に投写する。このメッセージＭ３の投写によって、利用者は、ディスクドライブ装置に光ディスクが入ったままの状態であることを認識する。
【００３５】
次いで、制御部１１は、電源スイッチが再び操作されたか否かの監視処理（ステップ４６）、光ディスクがディスクドライブ装置から取り出されたか否かの監視処理（ステップ４７，４８）、および予め規定した所定時間が経過したか否かの監視処理（ステップ４９）を繰り返して実行する。
【００３６】
この際に、例えば、光ディスクの再生を一時的に中断するだけで、光ディスクの再生を後に再開するときには、利用者は、メッセージＭ３に従い、操作部９の電源スイッチを再び操作する。この際に、制御部１１は、信号処理部８から出力された操作信号Ｓ１に基づいて、電源スイッチが再び操作されたと判別して（ステップ４６）、映像投写部５に制御信号Ｓ４を出力してクールダウン処理を開始させると共に（ステップ４３）、所定時間が経過した時点において、電源部１０に制御信号Ｓ５を出力してプロジェクタ１の各部に対する電源の供給を停止させる（ステップ４４）。これにより、プロジェクタ１の電源遮断処理が完了する。
【００３７】
一方、例えば、再生を完了した光ディスクをレンタル業者に対して返却する必要があるときには、操作部９のイジェクトスイッチ（図示せず）を操作して光ディスクを光ディスク再生部２から取り出す。この際には、信号処理部８が、操作部９からの操作信号Ｓ０に応じて、イジェクトスイッチの操作に対応する操作信号Ｓ１を生成して制御部１１に出力する。これに応じて、制御部１１は、光ディスク再生部２に制御信号Ｓ２ａを出力して光ディスクを排出させると共に、光ディスクがディスクドライブ装置から取り出されたか否かを検出させる（ステップ４７）。この際に、光ディスク再生部２からの検出信号Ｓ２ｂに基づいて光ディスクが取り出されたと判別したときには（ステップ４８）、制御部１１は、映像投写部５に制御信号Ｓ４を出力してクールダウン処理を開始させると共に（ステップ４３）、所定時間が経過した時点において、電源部１０に制御信号Ｓ５を出力してプロジェクタ１の各部に対する電源の供給を停止させる（ステップ４４）。これにより、プロジェクタ１の電源遮断処理が完了する。
【００３８】
また、このプロジェクタ１では、メッセージＭ３が表示された後に、電源スイッチの操作、および光ディスクの取り出しのいずれも行われることなく予め規定した所定時間（一例として、１分）が経過したときに、電源が遮断される。具体的には、メッセージＭ３の表示後に所定時間が経過したときには（ステップ４９）、制御部１１は、映像投写部５に制御信号Ｓ４を出力してクールダウン処理を開始させると共に（ステップ４３）、所定時間が経過した時点において、電源部１０に制御信号Ｓ５を出力してプロジェクタ１の各部に対する電源の供給を停止させる（ステップ４４）。これにより、プロジェクタ１の電源遮断処理が完了する。
【００３９】
このように、このプロジェクタ１およびその電源制御方法では、制御部１１が、電源遮断が指示されたとき（電源遮断を指示する操作信号Ｓ１が出力されたとき）に、光ディスク再生部２によって光ディスクの非装着状態が検出されているときには、電源部１０を制御して電源の供給を停止させ、光ディスクの装着状態が検出されているときには、光ディスクが装着されていることを報知するメッセージＭ３（第１のメッセージ）を映像投写部５によってスクリーン１２に表示させると共にその後に光ディスクの非装着状態が検出されたときに電源部１０を制御して電源の供給を停止させる。したがって、このプロジェクタ１およびその電源制御方法によれば、光ディスクが装着されたままの状態であることをメッセージＭ３の表示によって利用者に認識させるだけでなく、電源スイッチを操作したにも拘わらず電源が遮断されないとのプロジェクタ１の動作によって、利用者に対して光ディスクが装着されたままの状態であることを確実に認識させることができる。また、このプロジェクタ１およびその電源制御方法によれば、利用者が光ディスクを取り出す必要があると判断した際に、電源が遮断されていないため、光ディスクを取り出すために装置の電源を投入し直す必要がある従来のアラーム機構とは異なり、光ディスクを迅速かつ容易に取り出すことができる。
【００４０】
また、このプロジェクタ１によれば、制御部１１が、メッセージＭ３を表示させた後に、光ディスク再生部２によって光ディスクの装着状態が継続して検出されている状態において電源遮断が再び指示されたとき（電源遮断を指示する操作信号Ｓ１が再び出力されたとき）に、電源部１０を制御して電源の供給を停止させることにより、利用者が光ディスクを取り出す必要がないと判断した際には、電源スイッチの再操作によって電源を直ちに遮断することができる。このため、このプロジェクタ１によれば、光ディスクを取り出す必要がないときであっても電源が投入されている状態を維持する構成と比較して、電力が無用に消費される事態を回避することができる。
【００４１】
さらに、このプロジェクタ１によれば、制御部１１が、電源投入が指示されたとき（電源投入を指示する操作信号Ｓ１が出力されたとき）に電源部１０を制御して電源の供給を開始させると共に光ディスク再生部２によって光ディスクの装着状態が検出されているときには、光ディスクが装着されていることを報知するメッセージＭ１（第２のメッセージ）を映像投写部５によってスクリーン１２に表示させることにより、例えば、電源遮断時に光ディスクを取り出すのを忘れてしまったとしても、その後の電源投入時にメッセージＭ１が表示されることで、利用者に対して光ディスクが装着されたままの状態であることを確実に認識させることができる。
【００４２】
また、このプロジェクタ１によれば、制御部１１が、入力ソースの切換えが指示されたとき（入力ソースの切換えを指示する操作信号Ｓ１が出力されたとき）に光ディスク再生部２によって光ディスクの装着状態が検出されているときには、光ディスクが装着されていることを報知するメッセージＭ２（第３のメッセージ）を映像投写部５によってスクリーン１２に表示させることにより、光ディスクが装着されたままの状態であることをメッセージＭ２の表示によって利用者に認識させるだけではなく、入力ソース切換えスイッチを操作したにも拘わらず入力ソースが切り換わらないとのプロジェクタ１の動作によって、利用者に対して光ディスクが装着されたままの状態であることを確実に認識させることができる。
【００４３】
さらに、このプロジェクタ１によれば、本発明に係る画像表示装置と、本発明における表示部としての映像投写部５（投写機構）とを備えて構成したことにより、光ディスクを取り出すために電源を再投入する必要がないため、光源ランプ等の点灯回数を十分に減らすことができる。このため、このプロジェクタ１によれば、光源ランプ等の寿命を延ばすことができる。
【００４４】
なお、本発明は、上記の構成に限定されない。例えば、本発明における情報媒体の一例として光ディスクを例に挙げて説明したが、本発明に係る画像表示装置によって画像（映像）を表示させる対象の情報媒体は、光ディスクに限定されず、磁気テープカートリッジやリムーバブルメモリなどの各種の情報媒体がこれに含まれる。また、操作部９の電源スイッチの操作によって電源を投入する際に電源投入処理２０を実行する例、および電源スイッチの操作によって電源を遮断する際に電源遮断処理４０を実行する例について説明したが、例えば、タイマ機能を有する画像表示装置において、設定時刻に電源を投入する際に電源投入処理２０を実行したり、設定時刻に電源を遮断する際に電源遮断処理４０を実行したりする構成を採用することができる。このような構成においては、タイマから信号（設定時刻の到来を報知する信号）が出力されたことが本発明における「電源遮断または電源投入が指示された」に相当する。
【００４５】
また、液晶ライトバルブを備えたプロジェクタ１を例に挙げて説明したが、液晶ライトバルブに代えて、ＤＭＤ（Digital Micromirror Device）等の光変調素子を採用してプロジェクタ１を構成することができる。なお、ＤＭＤは米国テキサスインスツルメンツ社の商標である。この場合、光変調素子として液晶ライトバルブを採用するときにも、透過型の液晶ライトバルブに限定されず、反射型の液晶ライトバルブを採用することができる。
【図面の簡単な説明】
【００４６】
【図１】プロジェクタ１の構成を示すブロック図である。
【図２】電源投入処理２０のフローチャートである。
【図３】メッセージＭ１をスクリーン１２に表示させた状態の表示画面図である。
【図４】入力ソース切換え処理３０のフローチャートである。
【図５】電源遮断処理４０のフローチャートである。
【図６】メッセージＭ２をスクリーン１２に表示させた状態の表示画面図である。
【図７】メッセージＭ３をスクリーン１２に表示させた状態の表示画面図である。
【符号の説明】
【００４７】
１  プロジェクタ、２  光ディスク再生部、３  外部信号入力部、４  映像処理部、５  映像投写部、１０  電源部、１１  制御部、１２  スクリーン、２０  電源投入処理、３０  入力ソース切換え処理、４０  電源遮断処理、Ｍ１〜Ｍ３  メッセージ、Ｓ０，Ｓ１  操作信号、Ｓ２ａ  制御信号、Ｓ２ｂ  検出信号、Ｓ３〜Ｓ６  制御信号、Ｓａ１，Ｓａ２  音声信号、Ｓａｖ  映像音声信号、Ｓｖ１，Ｓｖ２  映像信号
【図１】
2009099171.tif 000003
【図２】
2009099171.tif 000004
【図３】
2009099171.tif 000005
【図４】
2009099171.tif 000006
【図５】
2009099171.tif 000007
【図６】
2009099171.tif 000008
【図７】
2009099171.tif 000009